(57)【要約】【課題】テンプルの開閉抵抗を長期間に亘って略一定に持続させることができ、又、テンプルの修理や交換が容易な蝶番装置を提供する。【解決手段】第１の蝶番部材１０の第１、第２の蝶番片１３，１５間に、第２の蝶番部材１２の中間蝶番片１６を介在させ、第１、第２蝶番片１３，１５と中間蝶番片１６とを枢軸１７で連結し、枢軸１７の軸線回りに中間蝶番片１６を回動可能とする。枢軸１７は、ネジ頭部１９の裏面の中央部でネジ軸２１が突設され、ネジ軸２１は、第１の蝶番片１３のネジ挿通孔２２と中間蝶番片１６のネジ挿通孔２３を挿通し、第２の蝶番片１５のネジ孔２５に螺合される。ネジ頭部１９と中間蝶番片１６との間に、ネジ軸２１が挿通された状態でコイルバネ３０が圧縮状態で介在される。【選択図】図４
2017009755.tif 000002
【特許請求の範囲】
【請求項１】
眼鏡のレンズ部の外側部に設けられるヨロイにテンプルを開閉可能に枢着するために用いられる眼鏡の蝶番装置であって、
該ヨロイの先側部分及び該テンプルの先側部分の何れか一方に設けられる第１の蝶番部材と、その他方に設けられる第２の蝶番部材とを具えており、該第１の蝶番部材は、所要間隔を隔てる第１の蝶番片と第２の蝶番片とを具え、該第１、第２の蝶番片間に、前記第２蝶番部材の中間蝶番片が介在されると共に、該第１の蝶番片と該第２蝶番片と該中間蝶番片とが枢軸で連結され、該中間蝶番片が結果的に、該枢軸の軸線回りに回動可能となされており、
前記枢軸は、ネジ頭部の裏面の中央部でネジ軸が突設され、該ネジ軸は、前記第１の蝶番片に設けられたネジ軸挿通孔と前記中間蝶番片に設けられた中間ネジ軸挿通孔を挿通して、前記第２の蝶番片に設けられたネジ孔に螺合される如くなされており、この螺合状態で、該ネジ軸が該中間ネジ挿通孔に密接状態となり、又、前記ネジ頭部と前記中間蝶番片との間に、前記ネジ軸が挿通するバネ挿通孔を具えるバネ部材が、該ネジ軸の軸線方向で見て圧縮状態で介在され、該バネ部材が、該ネジ頭部と該中間蝶番片とを互いに離反方向へ夫々付勢することを特徴とする眼鏡の蝶番装置。
【請求項２】
前記ネジ頭部の裏面及び、前記第１の蝶番片の、該裏面と向き合う外面の何れか一方に、係合突部が設けられると共に、その他方に、該係合突部と嵌まり合った係合状態となり得る係合凹部が設けられていることを特徴とする請求項１記載の眼鏡の蝶番装置。
【請求項３】
前記ネジ頭部の裏面に、前ネジ軸の軸線を中心とする同一円周上で且つ１８０度の角度を置いて、一対の係合突部が設けられており、又、前記第１の蝶番片の外面の、前記ネジ軸挿通孔の外端周縁部分には、前記バネ部材が所要に圧縮された状態において前記一対の係合突部と嵌まり合った係合状態となり得る一対の係合凹部が設けられていることを特徴とする請求項１記載の眼鏡の蝶番装置。
【請求項４】
前記一対の係合突部と前記一対の係合凹部との前記係合は、前記ネジ軸が締め付けの余裕を残した状態で得られるようになされていることを特徴とする請求項３記載の眼鏡の蝶番装置。
【請求項５】
眼鏡のレンズ部の外側部に設けられるヨロイにテンプルを開閉可能に枢着するために用いられる眼鏡用の蝶番装置であって、
該ヨロイの先側部分及び該テンプルの先側部分の何れか一方に設けられる第１の蝶番部材と、その他方に設けられる第２の蝶番部材とを具えており、該第１の蝶番部材は、所要間隔を隔てる第１の蝶番片と第２の蝶番片とを具え、該第１、第２の蝶番片間に、前記第２の蝶番部材の中間蝶番片が介在されると共に、該第１の蝶番片と該第２蝶番片と該中間蝶番片とが枢軸で連結され、該中間蝶番片が結果的に、該枢軸の軸線回りに回動可能となされており、
前記枢軸は、軸頭部の裏面の中央部で円柱軸状の止着軸が突設されており、該止着軸は、その先端部で開口する割り溝が該止着軸の軸線方向に設けられることによって一対の半割り軸片が設けられており、該両半割り軸片の先端部分の外面に、外方に向けて突出する係合突出部が設けられており、
該止着軸は、前記軸頭部が前記第１の蝶番片の外面に当接乃至近接状態を呈し得るようになされており、前記第１の蝶番片と前記第２の蝶番片と前記中間蝶番片に同心に設けられている夫々の軸挿通孔を挿通でき、該挿通の際に前記割り溝が、前記両係合突出部が前記第２の蝶番片に設けられている前記軸挿通孔の内周面に押圧されて弾性的に縮小でき、前記両係合突出部が該軸挿通孔の外端から突出することによって前記割り溝が弾性的に拡開し、これにより、該係合突出部が前記第２の蝶番片の前記軸挿通孔の外端周縁部分に係合して前記止着軸が抜け止めされ、該抜け止め状態で、該止着軸が前記中間蝶番片の前記軸挿通孔に密接状態になると共に、前記割り溝を弾性的に縮小させて前記係合突出部と前記外端周縁部分との係合を解除することによって前記止着軸を引き抜き可能となされており、又、前記軸頭部と前記中間蝶番片との間に、前記止着軸が挿通されるバネ挿通孔を具えるバネ部材が、該止着軸の軸線方向で見て圧縮状態で介在され、該バネ部材が、該軸頭部と該中間蝶番片とを互いに離反方向へ夫々付勢することを特徴とする眼鏡の蝶番装置。
【請求項６】
前記止着軸は、前記第１の蝶番片の前記軸挿通孔と前記中間蝶番片の前記軸挿通孔を、前記割り溝を縮小させることなく挿通できる一方、前記第２の蝶番片の前記軸挿通孔を挿通する際に、前記割り溝が、前記両係合突出部が前記第２の蝶番片に設けられている前記軸挿通孔の内周面に押圧されて弾性的に縮小でき、前記両係合突出部が該軸挿通孔の前記外端から突出することによって前記割り溝が弾性的に拡開し、これにより、該係合突出部が該軸挿通孔の外端縁部分に係合して前記止着軸が抜け止めされることを特徴とする請求項７記載の眼鏡用の蝶番装置。
【請求項７】
前記止着軸は、前記第１の蝶番片の前記軸挿通孔を、前記割り溝を縮小させることなく挿通できる一方、前記第２の蝶番片の前記軸挿通孔は、その内端からその外端に向けて小径となるテーパ孔として形成されており、前記止着軸の先側部分が該テーパ孔を挿通する際に、前記割り溝が、前記両係合突出部が該テ−パ孔の内周面に押圧されて弾性的に縮小でき、前記両係合突出部が該テーパ孔の前記外端から突出することによって前記割り溝が弾性的に拡開し、これにより、該係合突出部が該テーパ孔の外端周縁部分に係合して前記止着軸が抜け止めされることを特徴とする請求項７記載の眼鏡用の蝶番装置。  
【請求項８】
前記バネ部材は、前記バネ挿通孔を具えるコイルバネを以て構成されていることを特徴とする請求項１〜７の何れかに記載の眼鏡の蝶番装置。  
【請求項９】
前記中間蝶番片に、前記コイルバネの端部側の部分を収容するためのバネ収容凹部が設けられていることを特徴とする請求項８記載の眼鏡の蝶番装置。  
【請求項１０】
前記バネ収容凹部は、前記コイルバネの前記端部側の部分を収容でき且つ取り外し可能の収容器部を以て構成されていることを特徴とする請求項９記載の眼鏡用の蝶番装置。
【発明の詳細な説明】
【技術分野】
【０００１】
本発明は、眼鏡の蝶番装置に関するものであり、より詳しくは、蝶番ネジを枢軸として用いる従来の蝶番装置におけるような、蝶番ネジの所要の締め付け調整を何度も行わなければならない等の面倒な調整作業を要することなくテンプルの開閉抵抗を略一定に持続させることができ、しかも分解も容易な眼鏡の蝶番装置に関するものである。
【背景技術】
【０００２】
眼鏡のレンズ部の外側部に設けられるヨロイにテンプルを連結し、該テンプルを該レンズ部に対して展開可能且つ折り畳み可能としてなる眼鏡の蝶番装置は、通常、該ヨロイの先側部分と該テンプルの先側部分に夫々ロウ付されてなる蝶番片を噛み合わせ且つ両者を、蝶番ネジを枢軸として用いて該蝶番ネジを所要に締め付け、これによって該テンプルを開閉可能としていた。この蝶番ネジの締め付けの調整は、テンプルの開閉抵抗（所謂アガキ）が一定に維持されるように調整されていた。
【０００３】
しかしながら、かかる構成の蝶番装置にあっては、テンプルの開閉回数が多くなるに従い、蝶番ネジの締め付け状態に緩みが発生してテンプルの開閉が甘くなった。そのため、その都度蝶番ネジの締め付け調整が不可欠であった。しかしながら、該蝶番ネジの締め付けが強いとテンプルの開閉抵抗が大きくなってテンプルの開閉が重くなる一方、この締め付けが弱いと蝶番ネジが容易に緩んでしまう事態を生じさせることになり、その調整作業は非常に面倒であった。しかも、この種の蝶番ネジは微小であったことから細かな調整作業を強いられた。その上、かかる調整作業を何度も行わなければならない煩わしさがあった。
【０００４】
そこで本出願人は、特許文献１において、図２６に示すような弾性挾持方式の蝶番装置を提案した。該蝶番装置ａは、テンプルｂの前側部分に設けた折り返し部ｂを有する挾持部分ｃが、ヨロイｄに設けた枢軸ｅを弾性的に挾持するように構成されていた。これによって、該挾持部分ｃが該枢軸ｅを弾性的に挾持した状態となり、これによりテンプルｂは一定の開閉抵抗で開閉可能であった。
【０００５】
しかしながら、かかる蝶番装置ａによるときも、折り返しによって形成された前記挾持部分ｃによる枢軸ｅの弾性的な挾持状態は、当初は適切に発揮されていても、そのうちに、該弾性が徐々に劣化してテンプルｂの開閉が甘くなり易く、従ってテンプルの開閉抵抗の持続性に問題があった。
【０００６】
そこで本出願人は特許文献２で、図２７〜２８に示す眼鏡の蝶番装置ｆを提供した。該蝶番装置ｆは、ヨロイｇを構成するＵ字状バネ片ｈの第１、第２の直線状部ｊ，ｋ間で蝶番部材ｍを弾性的に挾持するものである。そして該蝶番部材ｍは、第１の挾持板ｎを具える第１の蝶番片ｐと、第２の挾持板ｑを具える第２の蝶番片ｒと、該第１、第２の蝶番片ｐ，ｒ間に面接触状態に介在される中間蝶番片ｓとを具えている。該中間蝶番片はテンプルｂに設けられている。又、第１の蝶番片ｐに設けられた収容孔ｔにコイルバネｕが収容され、コイルバネｕが弾性圧縮状態とされ、この状態で前記第１の挾持板ｎが前記中間蝶番片ｓの表面に弾性圧接されている。
【０００７】
かかる構成を有する蝶番装置ｆによるときは、前記Ｕ字状バネ片による前記蝶番部材の弾性挾持と、内蔵された前記コイルバネの付勢力によって、蝶番ネジを枢軸とする従来の蝶番装置との関係では、該蝶番ネジの面倒な調整作業を要することなく、又、枢軸を弾性挾持する蝶番装置との関係ではその弾性劣化によってテンプルの開閉が甘くなる問題を発生させることなく、テンプルの開閉抵抗を略一定に持続させることができた。
【０００８】
然しながら該蝶番装置によるときは、Ｕ字状バネ片を必須としたために眼鏡デザインが制約される不具合があった。
【先行技術文献】
【特許文献】
【０００９】
【特許文献１】特開２００１−２４９３０８号公報
【特許文献２】実用新案登録第３１９５７４９号公報
【発明の概要】
【発明が解決しようとする課題】
【００１０】
本発明は、蝶番ネジを枢軸とする従来の蝶番装置におけるような面倒な調整作業に煩わされることなくテンプルの開閉抵抗を略一定に持続させることができると共に、テンプルの修理やテンプルの交換の際等において分解が容易であり、しかも、眼鏡デザインを制約することもない眼鏡の蝶番装置の提供を課題とするものである。
【課題を解決するための手段】
【００１１】
前記課題を解決するため本発明は以下の手段を採用する。
即ち本発明に係る眼鏡の蝶番装置（蝶番装置ともいう）は、眼鏡のレンズ部の外側部に設けられるヨロイにテンプルを開閉可能に枢着するために用いられるものであって、該ヨロイの先側部分及び該テンプルの先側部分の何れか一方に設けられる第１の蝶番部材と、その他方に設けられる第２の蝶番部材とを具えており、該第１の蝶番部材は、所要間隔を隔てる第１の蝶番片と第２の蝶番片とを具え、該第１、第２の蝶番片間に、前記第２蝶番部材の中間蝶番片が介在されると共に、該第１の蝶番片と該第２蝶番片と該中間蝶番片とが枢軸で連結され、該中間蝶番片が結果的に、該枢軸の軸線回りに回動可能となされている。前記枢軸は、ネジ頭部の裏面の中央部でネジ軸が突設され、該ネジ軸は、前記第１の蝶番片に設けられたネジ軸挿通孔と前記中間蝶番片に設けられた中間ネジ軸挿通孔を挿通して、前記第２の蝶番片に設けられたネジ孔に螺合される如くなされており、この螺合状態で、該ネジ軸が該中間ネジ挿通孔に密接状態となり、又、前記ネジ頭部と前記中間蝶番片との間に、前記ネジ軸が挿通するバネ挿通孔を具えるバネ部材が、該ネジ軸の軸線方向で見て圧縮状態で介在され、該バネ部材が、該ネジ頭部と該中間蝶番片とを互いに離反方向へ夫々付勢することを特徴とするものである。
【００１２】
該蝶番装置において、前記ネジ頭部の裏面及び、前記第１の蝶番片の、該裏面と向き合う外面の何れか一方に、係合突部を設け、その他方に、該係合突部と嵌まり合った係合状態となり得る係合凹部を設けるのがよい。
【００１３】
より好ましくは、前記ネジ頭部の裏面に、前ネジ軸の軸線を中心とする同一円周上で且つ１８０度の角度を置いて、一対の係合突部を設け、前記第１の蝶番片の外面の、前記ネジ軸挿通孔の外端周縁部分には、前記バネ部材が所要に圧縮された状態において前記一対の係合突部と嵌まり合った係合状態となり得る一対の係合凹部を設けるのがよい。この場合、前記一対の係合突部と前記一対の係合凹部との前記係合は、前記ネジ軸が締め付けの余裕を残した状態で得られるようになすのがよい。
【００１４】
本発明に係る眼鏡の蝶番装置の他の態様は、眼鏡のレンズ部の外側部に設けられるヨロイにテンプルを開閉可能に枢着するために用いられるものであって、該ヨロイの先側部分及び該テンプルの先側部分の何れか一方に設けられる第１の蝶番部材と、その他方に設けられる第２の蝶番部材とを具えており、該第１の蝶番部材は、所要間隔を隔てる第１の蝶番片と第２の蝶番片とを具え、該第１、第２の蝶番片間に、前記第２の蝶番部材の中間蝶番片が介在されると共に、該第１の蝶番片と該第２蝶番片と該中間蝶番片とが枢軸で連結され、該中間蝶番片が結果的に、該枢軸の軸線回りに回動可能となされている。そして前記枢軸は、軸頭部の裏面の中央部で円柱軸状の止着軸が突設されており、該止着軸は、その先端部で開口する割り溝が該止着軸の軸線方向に設けられることによって一対の半割り軸片が設けられており、該両半割り軸片の先端部分の外面に、外方に向けて突出する係合突出部が設けられている。
【００１５】
又該止着軸は、前記軸頭部が前記第１の蝶番片の外面に当接乃至近接状態を呈し得るようになされており、前記第１の蝶番片と前記第２の蝶番片と前記中間蝶番片に同心に設けられている夫々の軸挿通孔を挿通でき、該挿通の際に前記割り溝が、前記両係合突出部が前記第２の蝶番片に設けられている前記軸挿通孔の内周面に押圧されて弾性的に縮小でき、前記両係合突出部が該軸挿通孔の外端から突出することによって前記割り溝が弾性的に拡開し、これにより、該係合突出部が前記第２の蝶番片の前記軸挿通孔の外端周縁部分に係合して前記止着軸が抜け止めされ、該抜け止め状態で、該止着軸が前記中間蝶番片の前記軸挿通孔に密接状態になると共に、前記割り溝を弾性的に縮小させて前記係合突出部と前記外端周縁部分との係合を解除することによって前記止着軸を引き抜き可能となされている。又、前記軸頭部と前記中間蝶番片との間に、前記止着軸が挿通されるバネ挿通孔を具えるバネ部材が、該止着軸の軸線方向で見て圧縮状態で介在され、該バネ部材が、該軸頭部と該中間蝶番片とを互いに離反方向へ夫々付勢することを特徴とするものである。
【００１６】
該蝶番装置において、前記止着軸は、前記第１の蝶番片の前記軸挿通孔と前記中間蝶番片の前記軸挿通孔を、前記割り溝を縮小させることなく挿通できる一方、前記第２の蝶番片の前記軸挿通孔を挿通する際に、前記割り溝が、前記両係合突出部が前記第２の蝶番片に設けられている前記軸挿通孔の内周面に押圧されて弾性的に縮小でき、前記両係合突出部が該軸挿通孔の前記外端から突出することによって前記割り溝が弾性的に拡開し、これにより、該係合突出部が該軸挿通孔の外端縁部分に係合して前記止着軸が抜け止めされる如く構成するのがよい。
【００１７】
より好ましくは、前記止着軸は、前記第１の蝶番片の前記軸挿通孔を、前記割り溝を縮小させることなく挿通できる一方、前記第２の蝶番片の前記軸挿通孔は、その内端からその外端に向けて小径となるテーパ孔として形成し、前記止着軸の先側部分が該テーパ孔を挿通する際に、前記割り溝が、前記両係合突出部が該テ−パ孔の内周面に押圧されて弾性的に縮小でき、前記両係合突出部が該テーパ孔の前記外端から突出することによって前記割り溝が弾性的に拡開し、これにより、該係合突出部が該テーパ孔の外端周縁部分に係合して前記止着軸が抜け止めされる如く構成するのがよい。
【００１８】
前記の各蝶番装置において、前記バネ部材は、前記バネ挿通孔を具えるコイルバネを以て構成するのがよい。この場合、前記中間蝶番片に、該コイルバネの端部側の部分を収容するためのバネ収容凹部を設けるのがよい。該バネ収容凹部は、前記コイルバネの前記端部側の部分を収容でき且つ取り外し可能の収容器部を以て構成するのがよい。
【発明の効果】
【００１９】
本発明は以下の如き優れた効果を奏する。
本発明に係る蝶番装置は、第１の蝶番部材を構成する第１、第２の蝶番片間に、第２の蝶番部材を構成する中間蝶番片を介在させると共に、該第１、第２の蝶番片と該中間蝶番片とを枢軸で連結し、該枢軸の軸線周りに中間蝶番片を回動可能としてなる。そして該枢軸は、ネジ頭部の裏面の中央部でネジ軸が突設されたものとして構成されている。或いは、軸頭部の裏面の中央部で止着軸が突設されたものとして構成され、該止着軸は、その軸線方向に割り溝が設けられて一対の半割り軸片が設けられ、該半割り軸片の先端部分の外面に係合突部が設けられたものとして構成されている。そして、前記中間蝶番片と前記ネジ頭部或いは前記軸頭部との間に圧縮状態で介在されたバネ部材が該ネジ頭部と該中間蝶番片を互いに離反方向へ夫々付勢する如く構成されている。
【００２０】
これにより本発明は、以下の如き優れた効果を奏する。
(1) 本発明によるときは、バネ部材の適切な付勢作用によって眼鏡のテンプルの開閉抵抗を略一定に持続させることができると共に、テンプルの修理やテンプルの交換の際等、蝶番装置の分解が必要となったときは前記枢軸を容易に取り外すことができて前記第１、第２の蝶番部材を容易に分離させることができる。又本発明に係る蝶番装置は、第１、第２の蝶番部材を枢軸を介して回動可能としているため、従来一般に使用されている眼鏡の蝶番装置におけると略同様の外観を呈するものとして蝶番装置を構成できる。かかることからＵ字状バネ片を必須とした特許文献２に係る蝶番装置とは異なり、眼鏡デザインを制約することのない蝶番装置を提供できることとなる。
【００２１】
(2) 又、前記バネ部材の付勢力を受けてバネ部材の端部が前記中間蝶番片に弾性的に圧接状態となるため、該付勢力に起因する摩擦作用によって、テンプルの開閉抵抗を略一定に持続させることができる。
【００２２】
(3) 特に前記枢軸がネジ軸を具えるものとして構成される場合は、前記バネ部材の付勢作用によってネジ軸の螺合部分における摩擦力の増大によって、ネジ軸の緩みを抑制できることとなる。このことは、前記テンプルの、略一定の開閉抵抗を受けての開閉を、長期間に亘って持続させることに寄与する。
【００２３】
(4) この場合、前記ネジ頭部の裏面及び、前記第１の蝶番片の、該裏面と向き合う外面の何れかに一方に係合突部を設け、その他方に、該係合突部と嵌まり合った係合状態となり得る係合凹部を設ける場合は、該係合状態を呈することによって前記ネジ軸の緩みを一層抑制できることとなる。この係合状態が、前記ネジ軸が締め付けの余裕を残した状態で得られるようになすときは、前記一対の係合突部と前記一対の係合凹部とが弾性的に嵌まり合った係合状態が無理なく確実に得られることとなる。
【００２４】
(5) そして前記枢軸は、前記ネジ軸を逆回転させることによって或いは前記止着軸の先端部分に設けられている係合突部の係合状態を解除することによって該枢軸を容易に取り外すことができるため、テンプルの修理やテンプルの交換の際等、蝶番装置の分解が必要となったときは前記枢軸を容易に取り外すことができて前記第１、第２の蝶番部材を容易に分離させることができる。
【００２５】
(6) 前記バネ部材をコイルバネを以て構成する場合は、耐久性に優れる蝶番装置を構成できることとなる。そして該バネ部材を、このようにコイルバネを以て構成する場合において、前記中間蝶番片に、該コイルバネの端部分を収容するためのバネ収容凹部を設ける構成を採用するときは、該コイルバネの長さの一部分が該バネ収容凹部に収容されることとなる。従って、前記第１の蝶番片の厚さをより小さく設定することが可能となり、本発明に係る蝶番装置の外観を、従来一般に用いられている眼鏡の蝶番装置の外観と略同様となし得る。
【００２６】
(7) 前記枢軸を、割り溝を具える前記止着軸を有するものとして構成する場合において、該止着軸を、前記第１の蝶番片と前記中間蝶番片の夫々の軸挿通孔を、前記割り溝を縮小させることなく挿通できる一方、前記第２の蝶番片の前記軸挿通孔を挿通する際に、該割り溝が、前記両係合突部が前記第２の蝶番片に設けられている軸挿通孔の内周面に押圧されて弾性的に縮小でき、該両係合突部が該軸挿通孔の外端から突出することによって前記割り溝が弾性的に拡開し、これにより、該係合突部が該軸挿通孔の外端縁部分に係合して前記止着軸が抜け止めされるように構成するときは、前記割り溝の縮小が、最終段階である前記第２の蝶番片の軸挿通孔を挿通するときにのみ行われることとなるため、割り溝の溝幅をそれ程大きくしなくても、前記止着軸の装着を無理なく行うことができる。
【００２７】
この場合、前記第２の蝶番片の軸挿通孔を、その内端からその外端に向けて小径となるテーパ孔として構成する場合は前記割り溝の縮小をより円滑に行わせることができて好ましい。
【図面の簡単な説明】
【００２８】
【図１】ネジ軸を有する枢軸を用いて構成された蝶番装置を示す斜視図と、その使用状態を示す斜視図である。
【図２】その蝶番装置を説明する分解斜視図である。
【図３】その蝶番装置の組み立て要領を示す断面図である。
【図４】その蝶番装置の全体構成を説明する断面図である。
【図５】ネジ軸を有する枢軸を用いて構成された蝶番装置のその他の態様を説明する断面図と斜視図である。
【図６】ネジ軸を有する枢軸を用いて構成された蝶番装置の他の態様を説明する断面図と斜視図である。
【図７】割り溝が設けられた止着軸を有する枢軸を用いて構成された蝶番装置を示す全体斜視図と、その使用状態を示す斜視図である。
【図８】その蝶番装置を示す分解斜視図である。
【図９】その蝶番装置の組み立て工程を説明する説明図である。
【図１０】その蝶番装置を示す断面図である。
【図１１】止着軸を有する枢軸を以て構成された本発明に係る蝶番装置のその他の態様を示す断面図と、その全体構成を示す斜視図である。
【図１２】止着軸を有する枢軸を以て構成された本発明に係る蝶番装置の他の態様を示す断面図とその斜視図である。
【図１３】パッキン材を介在させてなる本発明に係る蝶番装置を示す斜視図とその使用状態を示す斜視図である。
【図１４】パッキン材を具える本発明に係る蝶番装置を説明する分解斜視図である。
【図１５】ネジ軸を有する枢軸を用いて構成され且つパッキン材が組み込まれてなる蝶番装置の組み立て工程を説明する断面図である。
【図１６】その蝶番装置を示す断面図である。
【図１７】パッキン材を具える蝶番装置のその他の態様を示す断面図である。
【図１８】止着軸を有する枢軸を用いて構成され且つパッキン材が組み込まれてなる蝶番装置を示す断面図である。
【図１９】止着軸を有する枢軸を用いて構成され且つパッキン材が組み込まれてなる蝶番装置の他の態様を示す断面図である。
【図２０】ネジ軸を有する枢軸を用いて構成され且つパッキン材が組み込まれてなる蝶番装置を示す断面図と、パッキン材の構成を説明する斜視図である。
【図２１】ネジ軸を有する枢軸を用いて構成され且つパッキン材が組み込まれてなる蝶番装置の他の態様を示す断面図である。
【図２２】止着軸を有する枢軸を用いて構成され且つパッキン材が組み込まれてなる蝶番装置を示す断面図である。
【図２３】止着軸を有する枢軸を用いて構成され且つパッキン材が組み込まれてなる蝶番装置の他の態様を示す断面図である。
【図２４】ネジ軸を有する枢軸を以て構成された蝶番装置のその他の態様を示す断面図である。
【図２５】止着軸を有する枢軸を用いて構成された蝶番装置のその他の態様を示す断面図である。
【図２６】折り返しによって形成された挾持部分を有する従来の蝶番装置の問題点を説明する説明図である。
【図２７】Ｕ字状バネ片を具える従来の蝶番装置を説明する斜視図である。
【図２８】その断面図である。
【実施例１】
【００２９】
図１において本発明に係る眼鏡の蝶番装置（以下蝶番装置と言う）１は、眼鏡２のレンズ部３の外側部５に設けられるヨロイ６にテンプル７を開閉可能に枢着するために用いられるものであって、該ヨロイ６の先側部分９に設けられる第１の蝶番部材１０と、テンプル７の先側部分１１に設けられる第２の蝶番部材１２とを具えている。該第１、第２の蝶番部材１０，１２は、例えばチタン合金を用いて構成できるが、素材は問わない。該第１の蝶番部材１０は、所要間隔を隔てる第１の蝶番片１３と第２の蝶番片１５を具え、該第１、第２の蝶番片１３，１５間に、前記第２の蝶番部材１２を構成する中間蝶番片１６が介在されると共に、該第１の蝶番片１３と該第２の蝶番片１５と該中間蝶番片１６とが枢軸１７で連結され、該枢軸１７の軸線Ｌ回りに該中間蝶番片１６が結果的に回動可動となされている。
【００３０】
該枢軸１７は、図２〜４に示すように、ネジ頭部１９の裏面２０の中央部でネジ軸２１が突設され、該ネジ軸２１は、前記第１の蝶番片１３に設けられたネジ軸挿通孔２２と前記中間蝶番片１６に設けられた中間ネジ軸挿通孔２３を挿通して、前記第２の蝶番片１５に設けられたネジ孔２５に螺合される如くなされ、この螺合状態で、図４に示すように、前記ネジ頭部１９が前記第１の蝶番片１３の外面２６（本実施例においては後述の円環状底面４０）に当接乃至近接状態となる如くなされている。図４には近接状態が示されている。又図４に示すように、該ネジ頭部１９と前記中間蝶番片１６との間に、前記ネジ軸２１が挿通されるバネ挿通孔２７を具えるバネ部材２９が、該ネジ軸２１の軸線方向で見て圧縮状態で介在され、該バネ部材２９が、該ネジ頭部１９と該中間蝶番片１６とを互いに離反方向へ夫々付勢する如くなされている。該バネ部材２９は、本実施例においてはコイルバネ（例えばステンレス製）３０として構成されている。
【００３１】
以下、該蝶番装置１を、前記枢軸１７の軸線Ｌ（図１、図４）が垂直状態にあるとして、より具体的に説明する。前記第１の蝶番部材１０は、図２に示すように、円板状を呈する前記第１の蝶番片１３と円板状を呈する前記第２の蝶番片１５とが前記所要間隔を隔てる上下対向状態となされ、該第１、第２の蝶番片１５の基端部３１，３２が、前記ヨロイ６の先側部分９（図１）にロウ付けされる台座部３３に連設されている。
【００３２】
該第１の蝶番片１３は、図２〜４に示すように、その外面（上面）で円形状膨出部３５が設けられており、該円形状膨出部３５で前記ネジ軸挿通孔２２が設けられている。該ネジ軸挿通孔２２は、水平な円環状上面３６の内周縁３７に円形内周面３８が連設され、該円形内周面３８の下端縁３９に、水平な円環状底面４０が連設されてなり、該円環状底面４０と該円形内周面３８とによって、上端開放の円環状嵌合凹部４１が設けられている。そして該円環状底面４０には、１８０度の角度を置いて、例えば半球面状を呈する係合凹部４２，４２が設けられている。又、該円環状底面４０の内周縁４３には、前記コイルバネ３０を挿通させるためのコイルバネ挿通孔４５が連設されており、該コイルバネ３０のバネ挿通孔２７に前記ネジ軸２１を挿通させ得る。又、前記第２の蝶番片１５の外面（下面）４６の中央部分には円形状突部４７が設けられ、該円形状突部４７の中心部を上下方向で貫通する如く前記ネジ孔２５が設けられている。
【００３３】
前記第２の蝶番部材１２は、図１〜２に示すように、円板状を呈する前記中間蝶番片１６が、前記テンプル７の先側部分１１にロウ付けされる台座部４９に連設されている。そして該中間蝶番片１６の上面側５０には、図２〜４に示すように、前記コイルバネ３０の端部側の部分５１を収容するための、円形凹部５２ａとして構成されたバネ収容凹部５２が設けられると共に、該円形凹部５２ａの底部５３の中央部には前記ネジ軸２１を挿通させるための底部挿通孔５５が設けられている。該底部挿通孔５５は、前記中間ネジ挿通孔２３の一部を構成しており、前記ネジ軸２１が該底部挿通孔５５（中間ネジ挿通孔２３）に密接状態となる。そして、該コイルバネ３０の端部（下端部）５６は、該底部挿通孔５５の上端の周縁部分５７で支持される。
【００３４】
前記枢軸１７は、図２〜４に示すように、ネジ頭部１９の裏面２０の中央部（下面中央部）で前記ネジ軸（例えば１．４ｍｍ径のもの）２１が突設され、該ネジ軸２１の先側部分（下側部分）６１は、前記ネジ孔２５に螺合し得る雄ネジ部６２とされている。該ネジ頭部１９は、本実施例においては図２〜３に示すように、前記コイルバネ挿通孔４５の上端部分６３に嵌まり合う下の円板状部６５の上端に、前記円環状嵌合凹部４１に嵌まり合う円環状鍔部６６を具える上の円板状部６７が設けられ、該上の円板状部６７の上面の中央部には、ドライバー係合溝６９を具えた突部７０が設けられている。そして該円環状鍔部６６の下面７１（前記ネジ頭部１９の裏面２０）に、前記一対の係合凹部４２，４２と嵌まり合った係合状態となり得る一対の半球面状の係合突部７２，７２が、前記軸線Ｌを中心とする同一円周上で且つ１８０度の角度を置いて設けられている。
【００３５】
該枢軸１７の該ネジ軸２１は、前記第１の蝶番片１３に設けられたネジ軸挿通孔２２（本実施例においては前記バネ挿通孔２７）と、前記中間蝶番片１６に設けられた中間ネジ軸挿通孔２３（本実施例においては、前記バネ挿通孔２７のうちの前記バネ収容凹部５２に存する部分と前記底部挿通孔５５）を挿通して、前記雄ネジ部６２が前記第２の蝶番片１５に設けられたネジ孔２５に螺合される如くなされている。この螺合状態で、図４に示す如く、前記ネジ頭部１９と前記中間蝶番片（本実施例においては、前記バネ収容凹部５２の底部５３）１６との間に介在されている前記コイルバネ３０が前記ネジ軸２１の軸線方向で見て圧縮状態とされ、該コイルバネ３０が、該ネジ頭部１９と該中間蝶番片１６とを互いに離反方向へ夫々付勢する如くなされている。
【００３６】
そして、該コイルバネ３０が所要に圧縮された状態において、図４に示す如く、前記一対の係合突部７２，７２と前記一対の係合凹部４２，４２とが弾性的に嵌まり合った係合状態となり得る。図４においては、前記円環状鍔部６６の裏面（下面）７１と前記円環状底面４０との間に若干の間隙７６が形成される如くなされている。これによって、前記ネジ軸２１は締め付けの余裕を残した螺締状態（図４においては若干の締め付けの余裕を残した螺締状態）で、前記一対の係合突部７２，７２と前記一対の係合凹部４２，４２とが弾性的に嵌まり合った係合状態が無理なく確実に得られることとなる。なお、かかる弾性的に嵌まり合った係合状態が、前記ネジ頭部１９が前記第１の蝶番片１３の外面（上面）２６（該外面２６は、前記円環状底面４０でもある）に当接した状態で得られるように構成されることもある。
【００３７】
然して、前記第１の蝶番部材１０の前記第１、第２の蝶番片１３，１５と、前記第２の蝶番部材１２の前記中間蝶番片１６とを噛み合わせ状態にして該第１、第２の蝶番片１３，１５と該中間蝶番片１６とを前記枢軸１７で連結して前記蝶番装置１を構成するに際しては、図４に示すように、該枢軸１７の前記ネジ軸２１を前記バネ挿通孔２７に挿通させた状態で前記コイルバネ３０の端部側の部分５１を前記バネ収容凹部５２に嵌め入れ、この状態で、前記ドライバー係合溝６９にドライバー先端部分を係合させドライバーを正回転させて前記雄ネジ部６２を前記ネジ孔２５に螺合し締め付ける。この締め付けに伴い該コイルバネ３０は、前記ネジ頭部１９（本実施例においては、前記下の円板状部６５の下面７５）と前記中間蝶番片１６（本実施例においては、前記周縁部分５７）との間に拘束された状態で圧縮される。
【００３８】
前記ネジ軸２１を締め付けていくに従って、前記ネジ頭部１９の裏面２０（本実施例においては、前記円環状鍔部６６の下面７１）と前記第１の蝶番片１３の外面２６（本実施例においては前記円環状底面４０）との間の距離が徐々に小さくなり、最終的には図４に示すように、前記一対の係合突部７２，７２と前記一対の係合凹部４２，４２とが嵌まり合った係合状態となる。この係合状態は、前記ネジ軸２１を前記ネジ孔２５に更に螺合させることのできる若干の余裕を残した状態で行われるように構成されている。これによって、該一対の係合突部７２，７２と該一対の係合凹部４２，４２とは確実に嵌まり合った状態となる。そしてこの状態で、図４に示すように、前記ネジ頭部１９の前記上の円板状部６７の前記円環状鍔部６６が前記円環状嵌合凹部４１に略収まった状態となり得る。該係合突部７２と該係合凹部４２との係合状態は、通常の場合、前記ネジ軸２１を積極的に逆回転させない限り外れる恐れがない。
【００３９】
そして、前記コイルバネ３０の付勢作用によって生ずる、前記ネジ孔２５と前記雄ネジ部６２との螺合部分（接触部分）の摩擦力の増大によって前記ネジ軸２１の緩みが抑制されることと、前記係合突部７２と前記係合凹部４２との係合状態が解除されにくいことによって、前記ネジ軸２１の緩みが一層抑制されることとなる。
【００４０】
そしてこの状態で、前記コイルバネ３０の付勢力を受けて、該コイルバネ３０の端部５６が前記バネ収容凹部５２の前記周縁部分５７（即ち、前記中間蝶番片１６）に弾性的に圧接状態となる。かかることから前記テンプル７は、該付勢力に起因する摩擦作用によって略一定の開閉抵抗を受けて開閉でき、且つ前記のようにネジ軸２１が緩みにくいことから、略一定の開閉抵抗を受けての開閉を長期間に亘って持続できることとなる。なお、かかるテンプル７の開閉が繰り返されて前記周縁部分５７に摩耗が生じたとしても、前記コイルバネ３０の付勢力によって該コイルバネの端部５６が該周縁部分５７に常に弾性的に圧接されているので、この場合も、テンプル７の開閉抵抗を長期間に亘って略一定に持続させることができる。
【００４１】
そして、例えば前記テンプル７の修理や交換に際しては、前記ドライバー係合溝６９に係合させたドライバーを逆回転させて前記枢軸１７を取り外すことにより、前記第１の蝶番部材１０と前記第２の蝶番部材１２とを分離させることができる。
【００４２】
図５、図６は、前記ネジ軸２１を有する前記枢軸１７を以て構成された蝶番装置１の他の態様を示すものであり、図１〜４に基づいて説明した前記蝶番装置１と異なるのは、前記中間蝶番片１６に前記バネ収容凹部５２を設けないで、前記コイルバネ３０の端部（下端部）５６を該中間蝶番片１６の外面（上面）７７に当接させている点である。この場合は、前記実施例における場合とは異なり該コイルバネ３０の長さの一部分が該バネ収容凹部５２に収容されるということがないため、前記第１の蝶番片１３が前記に比して厚肉に形成されている。そして、図５に示されている蝶番装置１と図６に示されている蝶番装置１との違いは、該第１の蝶番片１３の全体を厚肉に形成する（図５）か、該第１の蝶番片１３の先側部分のみを厚肉に形成する（図６）かの点にある。図５、図６においても、前記実施例における場合と同様にして、前記ネジ頭部１９の裏面２０に、前記ネジ軸２１の軸線Ｌを中心とする同一円周上で且つ１８０度の角度を置いて、一対の係合突部７２，７２が設けられ、該一対の係合突部７２，７２と、前記第１の蝶番片１３の外面２６に設けられた一対の係合凹部４２，４２とが弾性的に嵌まり合った係合状態を呈し得るように構成されている。
【００４３】
そして図５、図６に示されているように、前記枢軸１７を構成する前記ネジ頭部１９と前記中間蝶番片１６（本実施例においては該中間蝶番片１６の外面（上面））７７との間に、前記ネジ軸２１が挿通されるバネ挿通孔２７を具えるバネ部材２９としてのコイルバネ３０が、該ネジ軸２１の軸線方向で見て圧縮状態で介在され、該コイルバネ３０が、該ネジ頭部１９と該中間蝶番片１６とを互いに離反方向へ夫々付勢する如くなされている。
【００４４】
然して図１〜４に示す蝶番装置１におけると同様にして、前記テンプル７は、該付勢力に起因する摩擦作用によって略一定の開閉抵抗を受けて開閉でき、又ネジ軸２１が緩みにくいことによって、テンプル７は、かかる略一定の開閉抵抗を受けての開閉を長期間に亘って持続できることとなる。又、例えば前記テンプル７の修理や交換に際しては、前記ドライバー係合溝６９に係合させたドライバーを逆回転させて前記枢軸１７を取り外すことにより、前記第１の蝶番部材１０と前記第２の蝶番部材１２とを容易に分離させることができる。
【実施例２】
【００４５】
図７〜１０、図１１、図１２は前記実施例１において、前記枢軸１７を、割り溝７９が設けられた円柱軸状の止着軸８０を有するものに代えた態様を示している。
【００４６】
前記枢軸１７は、軸頭部８１の裏面８２の中央部で円柱軸状を呈する止着軸８０が突設されている。該止着軸８０は、その先端部８３で開口する割り溝７９が該止着軸８０の軸線方向に設けられることによって一対の半割り軸片８５，８５が設けられており、該両半割り軸片８５，８５の先端部の外面に、外向きに突出する係合突出部８６，８６が設けられている。又前記軸頭部８１は、実施例１におけると同様に構成された、前記第１の蝶番片１３の円環状嵌合凹部４１に嵌合される円環状鍔部６６を具えている。
【００４７】
かかる構成を有する止着軸８０は、図８〜９に示すように、前記と同様構成を有するコイルバネ３０（前記バネ部材２９の一態様）のバネ挿通孔２７を挿通でき、前記第１の蝶番片１３と前記第２の蝶番片１５と前記中間蝶番片１６に同心に設けられている軸挿通孔８７，８９，９０を挿通できる。本実施例においては図８〜９に示すように、前記第１の蝶番片１３の該軸挿通孔８７の径（本実施例においては前記バネ挿通孔２７の径）と、前記中間蝶番片１６の前記軸挿通孔９０の径（本実施例においては、前記バネ挿通孔２７のうちの前記バネ収容凹部５２に存する部分と前記底部挿通孔５５の径）は、前記止着軸８０を、前記割り溝７９を縮小させることなく挿通可能とする大きさに設定される一方、前記第２の蝶番片１５の前記軸挿通孔８９は、その内端（上端）９３から外端（下端）９５に向けて小径となるテーパ孔９６として形成されている。
【００４８】
従って、前記止着軸８０の先側部分９７が該テーパ孔９６に挿通される際に、前記割り溝７９が図９（Ｃ）に示すように、前記両係合突出部８６，８６が該テーパ孔９６のテーパ内周面９９に押圧されて弾性的に縮小できる。そして図９（Ｄ）、図１０に示すように、該両係合突出部８６，８６が該テーパ孔９６の前記外端９５から突出することによって前記割り溝７９が弾性的に拡開し、これにより、該係合突出部８６，８６が該テーパ孔９６の外端縁部分１００に係合して前記止着軸８０が抜け止めされることとなる。
【００４９】
この抜け止め状態で、該止着軸８０が前記中間蝶番片１６の前記底部挿通孔５５（前記軸挿通孔９０）に密接状態となる。そして、前記軸頭部８１が前記第１の蝶番片１３の外面（上面）２６（本実施例においては、前記円環状嵌合凹部４１の円環状底面４０）に当接乃至近接状態となる。図９（Ｄ）、図１０には近接状態が示されている。このように近接状態としているのは、製作誤差があっても、該軸頭部８１を、後述するコイルバネ３０の付勢力に逆らって押し込むことによって、前記係合突出部８６，８６を前記外端縁部分１００に確実に係合させ得るようにするためである。そして該係合状態においては、前記コイルバネ３０の付勢力によって該係合状態を保持させることができるので、該係合状態が不用意に解除される恐れがない。
【００５０】
本実施例においては、実施例１におけると同様に、前記バネ部材２９としてのコイルバネ３０の端部側の部分５１が、前記中間蝶番片１６に設けられているバネ収容凹部５２に収容された状態とされる。そして、前記軸頭部８１と前記中間蝶番片１６との間（本実施例においては、前記軸頭部８１と前記バネ収容凹部５２の底部５３との間）に、該コイルバネ３０が該止着軸８０の軸線方向で見て圧縮状態で介在され、該コイルバネ３０が、該軸頭部８１と該中間蝶番片１６とを互いに離反方向へ夫々付勢する。
【００５１】
そして該コイルバネ３０の付勢力を受けて、該コイルバネ３０の端部５６が前記バネ収容凹部５２の底部５３（即ち、前記中間蝶番片１６）に弾性的に圧接状態となる。かかることから前記テンプル７は、該付勢力に起因する摩擦作用によって略一定の開閉抵抗を受けて開閉でき、これを長期間に亘って持続できることとなる。なお、かかるテンプル７の開閉が繰り返されて前記底部５３に摩耗が生じたとしても、前記コイルバネ３０の付勢力によって該コイルバネ３０の端部５６が該底部５３に常に弾性的に圧接されているので、この場合も、テンプル７の開閉抵抗を長期間に亘って略一定に持続させることができる。
【００５２】
そして、例えば前記テンプル７の修理や交換に際しては、前記テーパ孔９６の前記外端縁部分１００に係合状態にある前記係合突出部８６，８６を、工具を用いて、前記割り溝７９を弾性的に縮小させるようにすぼませて該両係合突出部８６，８６を前記第２の蝶番片１５の前記軸挿通孔８９内に押し込む（即ち、前記係合を解除する）と、前記枢軸１７を引き抜くことができる。これによって、前記第１の蝶番部材１０と前記第２の蝶番部材１２とを容易に分離させることができる。
【００５３】
図１１、図１２は、前記止着軸８０を有する前記枢軸１７を以て構成された蝶番装置１の他の態様を示すものであり、図７〜１０に基づいて説明した前記蝶番装置１と異なるのは、前記中間蝶番片１６に前記バネ収容凹部５２を設けないで、前記コイルバネ３０の端部５６を該中間蝶番片１６の外面（上面）７７に当接させている点である。そのため、前記第１の蝶番片１３が前記に比して厚肉に形成されている。その理由は、実施例１の説明において図５、図６に関連して説明したところと同様の理由による。そして、図１１に示されている蝶番装置１と図１２に示されている蝶番装置１との違いは、該第１の蝶番片１３の全体を厚肉に形成する（図１１）か、該第１の蝶番片１３の先側部分のみを厚肉に形成する（図１２）かの点にある。
【００５４】
そして図１１、図１２に示されているように、前記枢軸１７を構成する軸頭部８１と前記中間蝶番片１６の外面（上面）７７との間に、前記止着軸８０が挿通されるバネ挿通孔２７を具えるバネ部材２９としてのコイルバネ３０が、該止着軸８０の軸線方向で見て圧縮状態で介在され、該コイルバネ３０が、該軸頭部８１と該中間蝶番片１６とを互いに離反方向へ夫々付勢する如くなされている。
【００５５】
然して図７〜１０に示す蝶番装置１におけると同様にして、前記テンプル７の開閉抵抗を長期間に亘って略一定に持続させることができる。又、前記係合突出部８６，８６の係合状態を前記と同様にして解除して前記止着軸８０を引き抜くことによって、前記第１の蝶番部材１０と前記第２の蝶番部材１２とを容易に分離させることができる。
【実施例３】
【００５６】
図１３〜１６、図１８は、実施例１、実施例２に係る蝶番装置１においてパッキン材１０１が組み込まれた態様を示すものであり、本実施例においては前記中間蝶番片１６が、中間蝶番片本体９８とパッキン材１０１とを組み合わせたものとして構成されている。該パッキン材１０１は、例えば羊白製やステンレス製である。これらに共通する構成は、前記コイルバネ３０の巻線端部１０２（図１４）が前記中間蝶番片本体９８に直接的に接触するのを防止するためのバネ受けパッキン材１０１ａとしてのパッキン材１０１を少なくとも具える点である。該バネ受けパッキン材１０１ａが設けられていないとすれば、前記テンプル７の開閉に伴い、前記中間蝶番片本体９８の外面（上面）が該巻線端部１０２に擦られることとなって該中間蝶番片本体９８を摩耗させ易い。中間蝶番片本体９８が摩耗されると、前記第２の蝶番部材１２の全体を交換せざるを得なくなる。そこで本実施例においては、該巻線端部１０２で擦られて一定以上に摩耗したときに交換を要するのは、安価で交換容易な該バネ受けパッキン材１０１ａのみとし、蝶番装置１の修理の容易化と修理コストの低減を図るのである。
【００５７】
図１４〜１６に係る蝶番装置１においては、前記中間蝶番片１６は、実施例１で説明した前記中間蝶番片１６と略同様の構成を有する前記中間蝶番片本体９８を用い、その上部に重ねて前記バネ受けパッキン材１０１ａと第１の介在パッキン材１０１ｂを配置すると共に、その下部に重ねて第２の介在パッキン材１０１ｃを配置してなる。該中間蝶番片本体９８は、前記テンプル７の先側部分１１にロウ付される台座部４９に連設されており、前記第１、第２の蝶番片１３，１５間に介在される。
【００５８】
前記バネ受けパッキン材１０１ａは、図１４〜１６に示すように、上端１０５が開放した有底の収容器部１０６を具えており、該収容器部１０６は、前記コイルバネ３０の端部側の部分５１を収容する前記バネ収容凹部５２を構成する。そして該収容器部１０６の底面部１０７には、前記ネジ軸２１を挿通させるための挿通孔１０９が設けられている。該収容器部１０６は、図１４〜１６に示すように、前記中間蝶番片本体９８に設けられた円形状凹部１１０に密接に嵌め入れられ、その底面部１０７が該円形状凹部１１０の底部上面１１３に当接する。該底面部１０７には、図１４に示すように、該底部上面１１３で設けられた、前記ネジ軸２１を挿通させるための底部挿通孔１１５と連通する挿通孔１０９が設けられている。そして、圧縮状態にある前記コイルバネ３０の端部５６は、該挿通孔１０９の上端周縁部分１１７に支持される。
【００５９】
前記第１の介在パッキン材１０１ｂは、図１４に示すように、前記収容器部１０６の上端周縁１１９に外方に水平に突出する如く設けられており、前記円形状凹部１１０の上端周縁部分１２０に当接される。又前記第２の介在パッキン材１０１ｃは、図１４〜１６、図１８に示すように、前記中間蝶番片本体９８に設けられている前記底部挿通孔１１５の下端周縁部分１１２に当接される薄肉の環状パッキン部として構成されており、その内周縁１２２で、円筒部１２７が上方に向けて突設されている。該円筒部１２７の外周面１２６は、前記底部挿通孔１１５と前記挿通孔１０９の内周面１２３，１２５に当接され、又該円筒部１２７には前記ネジ軸２１が密接状態に挿通できる。
【００６０】
図１６、図１８は、かかる構成を有する中間蝶番部１６を用いて構成された蝶番装置１を示すものであり、前記コイルバネ３０は、その端部側の部分５１が前記バネ収容凹部５２に収容された状態で、中間蝶番片１６と、前記ネジ頭部１９又は前記軸頭部８１との間に圧縮状態で介在されている。該蝶番装置１によるときは、前記テンプル７の開閉によって前記コイルバネ３０の巻線端部１０２で擦られて摩耗するのは前記バネ受けパッキン材１０１ａのみであるため、蝶番装置１の修理の容易化と修理コストの低減を図り得る利点がある。又、該蝶番装置１には、第１、第２の介在パッキン材１０１ｂ，１０１ｃが設けられているため、これらによって、前記テンプル７の開閉をスムーズに行わせることができる。
【００６１】
図１７、図１９に示されている蝶番装置１は、前記中間蝶番片本体９８に設けられている前記円形状凹部１１０が、該円形状凹部１１０の内径と同径の円形孔１２９に変更されている点で、図１６、図１８に示されている蝶番装置１とは異なる。この場合は、前記コイルバネ３０の端部（下端部）５６を支持する、前記収容器部１０６の底面部１１１が、該中間蝶番片本体９８の下面１３０から浮き上がった状態にあり、その他の構成は前記と同様である。
【００６２】
図２０〜２１、図２２〜２３は、パッキン材１０１を組み込んでなる蝶番装置１のその他の態様を示すものであり、図２０〜２１に係る蝶番装置１は、前記枢軸１７が前記ネジ軸２１を用いて構成されており、図２２〜２３に係る蝶番装置１は、前記枢軸１７が前記止着軸８０を用いて構成されている。これらの蝶番装置１が図１４〜１９に示す蝶番装置１と異なるのは、前記中間蝶番片１６に前記バネ収容凹部５２を設けない点である。そのため実施例１、実施例２において説明したところと同様の理由によって、前記第１の蝶番片１３が前記に比して厚肉に形成されている。そして、図２０、図２２に示されている蝶番装置１と、図２１、図２３に示されている蝶番装置１との違いは、該第１の蝶番片１３の全体を厚肉に形成するか（図２０、図２２）、該第１の蝶番片１３の先側部分のみを厚肉に形成するか（図２１、図２３）の点にある。
【００６３】
そして前記中間蝶番片１６は、中間蝶番片本体９８の上部に重ねて第３の介在パッキン材１０１ｄを配置すると共に、その下部に重ねて第４の介在パッキン材１０１ｅを配置してなる。該中間蝶番片本体９８は、前記テンプル７の先側部分１１にロウ付される前記台座部４９に連設されてなり、前記第１、第２の蝶番片１３，１５間に介在されるものであり、同径の貫通孔１３１からなるネジ軸挿通孔２３（前記枢軸１７が前記ネジ軸２１を有する場合）又は、同径の貫通孔１３２からなる軸挿通孔９０（前記枢軸１７が前記止着軸８０を有する場合）が設けられている。
【００６４】
これらの蝶番装置１における前記第３の介在パッキン材１０１ｄの構成を、前記枢軸１７が前記ネジ軸２１を有する場合 (図２０、図２１）と、前記枢軸１７が前記止着軸８０を有する場合 (図２２、図２３）に分けて説明する。
【００６５】
前記枢軸１７が前記ネジ軸２１を有する場合の該第３の介在パッキン材１０１ｄは、図２０（Ａ）、図２１、図２０（Ｂ）に示すように、前記貫通孔１３１の上端周縁部分に当接される薄肉の環状パッキン部１３５を具えている。該環状パッキン部１３５は、前記中間蝶番片本体９８に設けられた前記貫通孔１３１と同心に、前記ネジ軸２１を密接状態に挿通させる挿通孔１３３が設けられており、該挿通孔１３３の下端周縁に、前記貫通孔１３１の内周面１３６に外周面１３７で当接でき且つ前記ネジ軸２１を密接状態に挿通させ得る円筒部１３９が連設されている。かかる構成の該環状パッキン部１３５によって、前記テンプル７の開閉をスムーズに行わせることができる。そして該環状パッキン部１３５は、その内周縁部分１３８で前記コイルバネ３０の端部（下端部）５６と当接する。然して該枢軸１７を用いた蝶番装置１にあっては、前記ネジ頭部１９と前記環状パッキン部１３５との間に、前記ネジ軸２１が挿通されるバネ挿通孔２７を具えるバネ部材２９としてのコイルバネ３０が、該ネジ軸２１の軸線方向で見て圧縮状態で介在され、該コイルバネ３０が、該ネジ頭部１９と該中間蝶番片１６とを互いに離反方向へ夫々付勢する如くなされている。
【００６６】
又、前記枢軸１７が前記止着軸８０を有する場合の前記第３の介在パッキン材１０１ｄは、図２２、図２３、図２０（Ｂ）に示すように、前記貫通孔１３２の上端周縁部分に当接される薄肉の環状パッキン部１３５を具えている。該環状パッキン部１３５は、前記中間蝶番片本体９８に設けられた前記貫通孔１３１と同心に、前記止着軸８０を密接状態に挿通させる挿通孔１４０が設けられており、該挿通孔１４０の下端周縁部分に、前記貫通孔１３２の内周面１４１に外周面１４２で当接でき且つ前記止着軸８０を密接状態に挿通させ得る円筒部１３９が連設されている。そして、該環状パッキン部１３５は、その内周縁部分１３８で前記コイルバネ３０の端部（下端部）５６と当接する。
【００６７】
又、前記第４の介在パッキン材１０１ｅは、図２０〜２３に示すように、前記第３の介在パッキン材１０１ｄを上下逆向きにした構成を有しており、前記貫通孔１３１又は前記貫通孔１３２の下端周縁部分に当接される環状パッキン部１４３の上端周縁に円筒部１４５が連設されている。
【００６８】
図２０〜２１、図２２〜２３は、かかる構成を有する中間蝶番片１６を用いて構成された蝶番装置１を示すものであり、前記第３の介在パッキン材１０１ｄと前記第４の介在パッキン材１０１ｅによって、前記テンプル７の開閉をスムーズに行わせることができる。そして、前記ネジ頭部１９と、前記中間蝶番片１６を構成する前記環状パッキン部１３５との間、及び、前記軸頭部８１と前記環状パッキン部１３５との間に、前記ネジ軸２１或いは前記止着軸８０が挿通されるバネ挿通孔２７を具えたバネ部材２９としてのコイルバネ３０が、該ネジ軸２１又は該止着軸８０の軸線方向で見て圧縮状態で介在され、該コイルバネ３０が、該軸頭部８１と該中間蝶番片１６とを互いに離反方向へ夫々付勢する如くなされている。
【００６９】
そして、かかる蝶番装置１によるときは、前記テンプル７の開閉によって前記コイルバネ３０の巻線端部１０２で擦られて摩耗するのは前記第３の介在パッキン材１０１ｄのみであるため、蝶番装置１の修理の容易化と修理コストの低減を図り得る利点がある。又、該蝶番装置１には第３、第４の介在パッキン材１０１ｄ，１０１ｅが設けられているため、これらによって、前記テンプル７の開閉をスムーズに行わせることができる。
【実施例４】
【００７０】
本発明は、前記実施例で示したものに限定されるものでは決してなく、「特許請求の範囲」の記載内で種々の設計変更が可能であることはいうまでもない。その一例を挙げれば次のようである。
【００７１】
(1) 前記バネ部材２９は、前記コイルバネ３０の他、前記ネジ軸２１や前記止着軸８０が挿通されるバネ挿通孔２７を具える板バネ状のバネ部材であってもよく、ゴム製の筒状のバネ部材等であってもよい。
【００７２】
(2) 前記の各実施例を説明する各図においては、前記バネ部材２９を蝶番装置１の上側部分（第１の蝶番片１３が存する側）に設けているが、これは逆の態様であってもよい。
【００７３】
(3) 前記の各実施例においては、第１、第２の蝶番片１３，１５を具える第１の蝶番部材１０をヨロイ側に設けると共に、中間蝶番片１６をテンプル７側に設けているが、これとは逆に、第１の蝶番部材１０をテンプル７側に設けると共に該第２の蝶番部材１２をヨロイ６側に設けてもよい。この場合も、該中間蝶番片１６が結果的に、前記枢軸１７の軸線回りに回動することに該当する。
【００７４】
(4) 本発明に係る蝶番装置１を構成する前記第１、第２の蝶番部材１０，１２は、前記ヨロイ６や前記テンプル７とは独立したものとして構成する他、これらは、前記ヨロイ６の先側部分９や前記テンプル７の先側部分１１に一体に設けてもよい。
【００７５】
(5）本発明においてレンズ部３は、レンズをリムで抱持してなるものでも、レンズの周縁部分の一部にリムを付設してなるものであってもよく、或いはレンズそのものであってもよい。
【００７６】
(6) 前記実施例においては、前記係合突部７２をネジ頭部１９の裏面２０に設ける一方、前記係合凹部４２を、前記第１の蝶番片１３の、前記裏面２０と向き合う外面２６に設けているが、該係合凹部４２と該係合突部７２を逆の態様で設けてもよい。
【００７７】
又、該係合突部７２及び該係合凹部４２の何れか一方を１個とし他方を複数個としたり、その何れか一方を２個とし他方を４個として、９０度の角度ごとに該係合突部７２と該係合凹部４２とが係合するように構成する等、前記バネ部材２９を所要に圧縮させた状態で該係合突部７２と該係合凹部４２とを嵌まり合った係合状態となし得る各種の構成を採用できる。
【００７８】
(7) 図２４は、前記枢軸１７がネジ軸２１を有する場合において、前記係合突部７２と前記係合凹部４２を省略した状態を示すものである。
【００７９】
(8) 前記枢軸１７として、前記割り溝７９を有する前記止着軸８０を用いる場合、前記第２の蝶番片１５に設けられる軸挿通孔９０は、前記したテ−パ孔９６として構成することの他、上下全長に亘って同径の孔として構成されることもある。図２５はその一例を示すものであり、前記止着軸８０は、前記第１の蝶番片１３の前記軸挿通孔８７と前記中間蝶番片１６の前記軸挿通孔９０を、前記割り溝７９を縮小させることなく挿通できる一方、前記第２の蝶番片１５の前記軸挿通孔８９を挿通するに伴い、図２５（Ａ）に示すように、該割り溝７９が、前記両係合突出部８６，８６が前記第２の蝶番片１５に設けられている前記軸挿通孔８９の内周面１０４に押圧されて弾性的に縮小でき、前記両係合突部７２，７２が該軸挿通孔８９の前記外端９５から突出することによって前記割り溝７９が弾性的に拡開し、これにより図２５（Ｂ）に示すように、該係合突部８６，８６が該軸挿通孔８９の外端縁部分１００に係合して前記止着軸８０が抜け止めされる。
【００８０】
(9) 前記円筒部１４５を具える前記第３、４、５の介在パッキン材１０１ｃ、１０１ｄ、１０１ｅにおいて、該円筒部１４５が省略されることもある。
【符号の説明】
【００８１】
１  蝶番装置
２  眼鏡
３  レンズ部
５  外側部
６  ヨロイ
７  テンプル
９  先側部分
１０  第１の蝶番部材
１１  先側部分
１２  第２の蝶番部材
１３  第１の蝶番片
１５  第２の蝶番片
１６  中間蝶番片
１７  枢軸
１９  ネジ頭部
２０  裏面
２１  ネジ軸
２２  ネジ軸挿通孔
２３  ネジ軸挿通孔
２５  ネジ孔
２６  外面
２７  バネ挿通孔
２９  バネ部材
３０  コイルバネ
４０  円環状底面
４１  円環状嵌合凹部
４２  係合凹部
４５  コイルバネ挿通孔
６２  雄ネジ部
７２  係合突部
７９  割り溝
８０  止着軸
８２  裏面
８５  半割り軸片
８６  係合突出部
８７  軸挿通孔
８９  軸挿通孔
９０  軸挿通孔
９６  テーパ孔
９９  テーパ内周面
１００  外端縁部分
１０１  パッキン材
１０１ａ  バネ受けパッキン材
１０１ｂ  第１の介在パッキン材
１０１ｃ  第２の介在パッキン材
１０１ｄ  第３の介在パッキン材
１０１ｅ  第４の介在パッキン材
１０６  収容器部
１３５  環状パッキン部
【図１】
2017009755.tif 000003
【図２】
2017009755.tif 000004
【図３】
2017009755.tif 000005
【図４】
2017009755.tif 000006
【図５】
2017009755.tif 000007
【図６】
2017009755.tif 000008
【図７】
2017009755.tif 000009
【図８】
2017009755.tif 000010
【図９】
2017009755.tif 000011
【図１０】
2017009755.tif 000012
【図１１】
2017009755.tif 000013
【図１２】
2017009755.tif 000014
【図１３】
2017009755.tif 000015
【図１４】
2017009755.tif 000016
【図１５】
2017009755.tif 000017
【図１６】
2017009755.tif 000018
【図１７】
2017009755.tif 000019
【図１８】
2017009755.tif 000020
【図１９】
2017009755.tif 000021
【図２０】
2017009755.tif 000022
【図２１】
2017009755.tif 000023
【図２２】
2017009755.tif 000024
【図２３】
2017009755.tif 000025
【図２４】
2017009755.tif 000026
【図２５】
2017009755.tif 000027
【図２６】
2017009755.tif 000028
【図２７】
2017009755.tif 000029
【図２８】
2017009755.tif 000030